(57)【要約】  １つ以上の望ましくない物質への１つ以上のデバイスの望ましくない暴露を防止するための装置は、デバイスと望ましくない物質との間に配置された少なくとも１つのバリアを含む。少なくとも１つの遮蔽物質は、バリアとデバイスとの間に設けられる。遮蔽物質は、バリアを通してバリアの外部からの望ましくない物質の少なくとも実質的な透過を妨げるのに十分バリアを透過することができ、望ましくない物質へのデバイスの望ましくない暴露を防止する。【選択図】図１【特許請求の範囲】
【請求項１】
少なくとも１つの望ましくない物質への少なくとも１つのデバイスの望ましくない暴露を防止するための装置であって、
デバイスを少なくとも部分的に囲む少なくとも１つのバリアを有し、
望ましくない物質は、前記バリアの外部から前記バリアを透過することができ、
前記バリア内に配置された少なくとも１つの遮蔽物質を有し、
前記遮蔽物質は、前記バリアを透過することができ、それによって前記バリアを通して前記バリアの内部からの前記遮蔽物質の透過が、前記バリアを通して前記バリアの外部からの望ましくない物質の少なくとも実質的な透過を妨げて、望ましくない物質へのデバイスの望ましくない暴露を防止する、
ことを特徴とする装置。
【請求項２】
前記バリアは、デバイスを包囲する、請求項１に記載の装置。
【請求項３】
前記遮蔽物質は、加圧ガスからなる、請求項２に記載の装置。
【請求項４】
前記遮蔽物質は、前記バリアの外部にあり且つ前記バリアと流通状態にある反応器で作られる、請求項３に記載の装置。
【請求項５】
前記遮蔽物質は、前記バリア内で作られる、請求項３に記載の装置。
【請求項６】
前記バリアを通して前記バリアの内部からの前記遮蔽物質の透過は、前記バリアを通して前記バリアの外部からの望ましくない物質のほぼ全ての透過を妨げる、請求項１に記載の装置。
【請求項７】
前記加圧ガスは、ヘリウム、窒素、重水素、およびネオンのうちの少なくとも１つからなる、請求項３に記載の装置。
【請求項８】
望ましくない物質は、水素および酸素のうちの少なくとも１つからなる、請求項７に記載の装置。
【請求項９】
デバイスは、少なくとも１つのセンサ、光ファイバセンサ、および光ファイバのうちの少なくとも１つからなる、請求項１に記載の装置。
【請求項１０】
前記バリアは、少なくとも１つのチューブ状部材、シェル、包囲体、およびケーシングのうちの少なくとも１つを含む、請求項１に記載の装置。
【請求項１１】
前記バリアは、少なくとも１つのポリマー、金属および複合材料のうちの少なくとも１つから構成される、請求項１に記載の装置。
【請求項１２】
前記バリアは、少なくとも１つのチューブ状部材を含む、請求項１に記載の装置。
【請求項１３】
前記遮蔽物質は、前記バリアのほぼ全内面領域に沿って前記バリアを透過する、請求項１２に記載の装置。
【請求項１４】
前記遮蔽物質は、加圧ガスからなる、請求項１３に記載の装置。
【請求項１５】
デバイスは、第１の前記バリア内に配置され、前記第１のバリアは、第２の前記バリア内に配置され、空間が、前記第１および第２のバリアの間に配置される、請求項１に記載の装置。
【請求項１６】
前記遮蔽物質は、前記第１のバリアの中に設けられ、前記第１のバリアを透過して、前記空間に入り、それによって前記遮蔽物質は、望ましくない物質が前記第１のバリアを透過するのを少なくとも実質的に防止する、請求項１５に記載の装置。
【請求項１７】
前記遮蔽物質は、前記第１および第２のバリアを通る望ましくない物質の透過を防止するのに十分、前記第１のバリアを透過する、請求項１６に記載の装置。
【請求項１８】
前記遮蔽物質は、前記空間の中に供給され、前記第２のバリアを透過し、望ましくない物質が前記第１および第２のバリアを透過するのを少なくとも実質的に防止する、請求項１６に記載の装置。
【請求項１９】
前記遮蔽物質は、前記空間の中を流れ、その中の望ましくない物質のいかなる痕跡をも置換する、請求項１６に記載の装置。
【請求項２０】
前記遮蔽物質は、前記第１のバリア内を流れる、請求項１６に記載の装置。
【請求項２１】
前記バリアは、デバイスに加えられた少なくとも１つのコーティングを含む、請求項１に記載の装置。
【請求項２２】
前記少なくとも１つのコーティングは、少なくとも１つの炭素、金属、およびポリマーのうちの少なくとも１つから構成される、請求項２１に記載の装置。
【請求項２３】
デバイスと前記バリアとの間の前記遮蔽物質の配置を容易にするために、前記少なくとも１つのコーティングに加えられた多孔性のアンダーコーティングを更に含む、請求項２１に記載の装置。
【請求項２４】
少なくとも１つの望ましくない物質へのデバイスの望ましくない暴露を防止するための、石油探鉱および生産産業に有益なシステムであって、
デバイスを囲むケーブルシースを有し、
望ましくない物質は、少なくとも部分的にガス状であり、前記ケーブルシースの外部から前記ケーブルシースを透過することができ、
前記ケーブルシース内に設けられた少なくとも１つの遮蔽物質を有し、
前記遮蔽物質は、前記ケーブルシースの内部から前記ケーブルシースを透過することのできる加圧ガスを含み、それによって前記ケーブルシースを通る前記遮蔽物質の透過が、前記ケーブルシースを通して前記ケーブルシースの外部からの望ましくない物質の少なくとも実質的な透過を妨げ、望ましくない物質へのデバイスの望ましくない暴露を防止する、
ことを特徴とするシステム。
【請求項２５】
デバイスは、少なくとも１つのセンサ、光ファイバセンサ、および光ファイバのうちの少なくとも１つである、請求項２４に記載のシステム。
【請求項２６】
望ましくない物質は、水素および酸素のうちの少なくとも１つを含み、前記遮蔽物質は、ヘリウム、窒素、重水素、およびネオンのうちの少なくとも１つを含む、請求項２５に記載のシステム。
【請求項２７】
デバイスを望ましくない物質との接触から遮蔽するためのシステムであって、
デバイスと望ましくない物質との間に少なくとも部分的に配置された少なくとも１つのバリアを有し、
望ましくない物質は、前記バリアを透過することができ、
デバイスと前記バリアとの間に配置された少なくとも１つの遮蔽物質を有し、
前記遮蔽物質は、前記バリアを透過することができ、それによって前記バリアを通る前記遮蔽物質の透過が、前記バリアを通る望ましくない物質の透過を妨げ、デバイスを望ましくない物質との接触から遮蔽する、
ことを特徴とするシステム。
【請求項２８】
前記少なくとも１つのバリアは、少なくとも１つのキャリア、チューブ状部材、およびバッフルのうちの少なくとも２つを含む、請求項２７に記載のシステム。
【請求項２９】
望ましくない物質へのデバイスの望ましくない暴露を防止するための方法であって、
バリアをデバイスの少なくとも一部の周りに設けるステップを有し、
望ましくない物質は、デバイスに対してバリアの外側に配置され、
遮蔽物質を、デバイスとバリアとの間に設けるステップを有し、
遮蔽物質はバリアを透過し、バリアを通る望ましくない物質の透過を妨げ、望ましくない物質へのデバイスの望ましくない暴露を防止する、
ことを特徴とする方法。
【請求項３０】
遮蔽物質は加圧ガスであり、遮蔽物質をバリアの全内面に沿ってバリアを透過させるのに十分な圧力で供給するステップを更に含む、請求項２９に記載の方法。
【請求項３１】
少なくとも２つのバリアを準備するステップを更に含み、第１のバリアはデバイスを囲み、第２のバリアは第１のバリアを囲む、請求項３０に記載の方法。
【請求項３２】
遮蔽物質を第１および第２のバリアの間に設けるステップを更に含む、請求項３１に記載の方法。
【請求項３３】
デバイスは光ファイバであり、光ファイバを金属チューブ内に配置することによって第１のバリアを形成するステップと、第１のバリアおよび光ファイバを第２のバリアの中へポンプで引き込むステップと、を更に含む、請求項３２に記載の方法。
【発明の詳細な説明】
【技術分野】
【０００１】
本発明は、望ましくない物質へのデバイスの望ましくない暴露を防止するための装置、システム、および方法に関する。
【背景技術】
【０００２】
様々なタイプのデバイスは、特定の物質に曝されるとき、損傷あるいは他の望ましくない影響を受ける。添付した特許請求の範囲を含む本特許全体を通して用いられるように、用語「望ましくない物質」は、損傷を与え、性能を変化させ、さもなければ望ましくない方法でデバイスに影響を及ぼすことのあるいかなる１つ以上の流体、液体、粒子、物質あるいはそれらの組み合わせを意味する。添付した特許請求の範囲を含む本特許全体を通して用いられるように、用語「デバイス」は、１つ以上の望ましくない物質に曝され、あるいは接触することから少なくとも部分的に隔離され、あるいは遮蔽されることが望まれる、いかなる１つ以上の機械、材料、媒体、器具、他の部材、あるいはそれらの配置あるいは組み合わせを意味する。デバイスの限定しない例は、光ファイバ、センサ、および光ファイバセンサである。
【０００３】
キャリアあるいはバリアで担持され、包囲され、あるいは少なくとも部分的に囲まれたデバイスは、依然として、望ましくない物質に潜在的に曝される危険がある。石油探鉱および生産産業では、例えば、ケーブルに担持された光ファイバは、光ファイバセンサを測定計装器に連結するために、あるいは光ファイバ検出システム、例えば温度分布検出システムの一部として、しばしば用いられる。いくつかのタイプの光ファイバを特定物質、例えば水素ガスに曝すことは、特に高温用途で、ファイバの光学特性の望ましくない劣化を引き起こすことがある。かくして、水素をケーブルの中に入れることは、問題をもたらすことがある。水素は非常に小さい分子なので、典型的なケーブルを透過することができ、その結果、光ファイバと接触して悪影響を及ぼす。
【０００４】
かくして、以下の属性、機能、あるいは特徴の１つ以上を有する方法、装置、および／またはシステムの要求がある。１つ以上の望ましくない物質への１つ以上のデバイスの望ましくない暴露を防止すること、望ましくない物質のケーブルの中への望ましくない浸入を防止すること、光ファイバの光学性能の望ましくない劣化あるいは光ファイバの損傷を引き起こす、光ファイバ収容ケーブルの中への水素の透過を防止すること、容易に利用可能な遮蔽物質を利用して、デバイスを望ましくない物質との望ましくない接触から隔離すること、実施が簡単で且つコスト効率が良いこと、既存の技術および部品で実施できること、既存の技術を改良する、あるいは適合させるのにコスト効率が良く且つ簡単であること、苛酷な環境に配置されたデバイスに有益であること。
【発明の開示】
【課題を解決するための手段】
【０００５】
本発明の様々な実施形態は、少なくとも１つの望ましくない物質への少なくとも１つのデバイスの望ましくない暴露を防止するための装置を含む。少なくとも１つのバリアがデバイスを少なくとも部分的に囲む。少なくとも１つの遮蔽物質がバリア内に配置される。望ましくない物質はバリアの外部からバリアを透過することができ、遮蔽物質はバリアの内部からバリアを透過することができる。バリアを通してバリアの内部からの遮蔽物質の透過が、バリアを通してバリアの外部からの望ましくない物質の少なくとも実質的な透過を妨げ、望ましくない物質へのデバイスの望ましくない暴露を防止する。
【０００６】
本発明のいくつかの実施形態では、少なくとも１つの望ましくない物質へのデバイスの望ましくない暴露を防止するための石油探鉱および生産産業に有益なシステムは、デバイスを囲むケーブルシースと、ケーブルシース内に設けられた少なくとも１つの遮蔽物質と、を含む。遮蔽物質はケーブルの内部からケーブルシースを透過することのできる加圧ガスを含み、望ましくない物質は部分的にガス状であり、ケーブルの外部からケーブルシースを透過することができる。ケーブルシースを通る遮蔽物質の透過は、ケーブルシースを通してケーブルの外部からの望ましくない物質の少なくとも実質的な透過を妨げ、望ましくない物質へのデバイスの望ましくない暴露を防止する。
【０００７】
本発明は、また、デバイスを望ましくない物質との接触から遮蔽するためのシステムの実施形態を含むのがよい。これらの実施形態のシステムは、デバイスと望ましくない物質との間に少なくとも部分的に配置された少なくとも１つのバリアを含む。少なくとも１つの遮蔽物質はデバイスとバリアとの間に配置され、遮蔽物質はバリアを透過することができる。バリアを通る遮蔽物質の透過は、バリアを通る望ましくない物質の透過を妨げ、デバイスを望ましくない物質との接触から遮蔽する。
【０００８】
多くの実施形態では、本発明は、少なくとも１つの望ましくない物質への少なくとも１つのデバイスの望ましくない暴露を防止するための方法を含む。これらの実施形態の方法は、少なくとも１つのバリアをデバイスの少なくとも一部の周りに設けることを含み、望ましくない物質はデバイスに対してバリアの外側に配置されるのがよい。遮蔽物質は、デバイスとバリアとの間に設けられる。遮蔽物質はバリアを透過し、バリアを通る望ましくない物質の透過を妨げ、望ましくない物質へのデバイスの望ましくない暴露を防止する。
【０００９】
従って、本発明は、デバイスを望ましくない物質との望ましくない接触あるいは望ましくない物質への暴露から遮蔽するための技術を進歩させることのできる特徴および利点を含む。上述した本発明の特徴および利点ならびに付加的な特徴および利点は、以下の好ましい実施形態の詳細な説明を考慮し且つ添付図面を参照して、当業者に容易に明らかであろう。
【発明を実施するための最良の形態】
【００１０】
本発明の好ましい実施形態の詳細な記載のために、今、添付図面が参照される。
【００１１】
本発明の現在好ましい実施形態を、下記で特定する図に示し、以下に詳細に記載する。本願の添付図面および記載は、好ましい実施形態のものであり、発明あるいは添付した特許請求の範囲を限定するものではないことを理解すべきである。それとは逆に、本発明は、添付した特許請求の範囲によって定められるように発明の範囲内である全ての変更、均等、および変形を包含するものである。好ましい実施形態を示し、且つ記載するに当って、共通のあるいは同様の要素を特定するために、同一の参照番号を用いる。図は必ずしも縮尺通りではなく、ある特徴および図のあるものは、明瞭性および簡潔のために縮尺が、あるいは概略が、誇張して示されるかもしれない。
【００１２】
ここでおよびこの特許の様々な部分（および見出し）の全てを通して使用されるように、「発明」、「本発明」およびその変形は、いかなる特定の添付した請求項あるいは添付した請求項の全てに記載された発明を意味するものではない。従って、各そのような言及の主題あるいは論題は、そのような言及のみのために、自動的にあるいは必ずしもいかなる特定の請求項の一部ではなく、あるいはいかなる特定の請求項によって要求されない。
【００１３】
最初に図１の実施形態を参照すると、バリア１４内に配置されたデバイス１２を含むシステム１０が示される。この例のデバイス１２は、光ファイバ１６である。しかしながら、デバイス１２は、また、あるいはその代わりに、バリア１４を透過することのできる１つ以上の望ましくない物質３６に曝されることから、あるいは、望ましくない物質３６と接触することから少なくとも部分的に遮蔽され、あるいは保護されるべきものである、１つ以上のセンサ、光ファイバセンサ、機械、他の部材あるいは材料、あるいはそれらのあらゆる配置あるいは組み合わせを含んでもよい。
【００１４】
図示されたバリア１４は、チューブあるいはケーブルシース１８である。バリア１４は、また、あるいはその代わりに、デバイス１２を少なくとも部分的に囲み、あるいはデバイス１２を望ましくない物質３６から分離する、１つ以上のシェル、ケーシング、チャンバ、あるいはあらゆる他の包囲体の形体あるいは形態を含んでもよい。バリア１４は、いかなる適当な望ましい材料から構成されてもよい。バリア１４を構成する材料のいくつかの例は、ポリマー、金属、および複合材料である。かくして、本発明は、本願に添付したいかなる特定の請求項で明白に記述され且つ要求され、そのような請求項およびそれに従属するあらゆる請求項のためのみである場合を除いて、デバイス１２あるいはバリア１４の性質、構造、タイプ、あるいは形態によって限定されない。
【００１５】
依然として図１の実施形態を参照すると、本発明によれば、バリア１４を透過することのできる１つ以上の遮蔽物質２４が、バリア１４の内部２８に設けられる。遮蔽物質２４は、バリア１４を通して外部３２から内部２８への望ましくない物質３６の透過を妨げ、あるいは防止するのに十分、遮蔽物質２４にバリア１４の内部２８からバリア１４の外部３２へ（例えば、矢印２６を参照せよ）バリア１４を透過させ、あるいは無理やり透過させる方法で、設けられる。その結果、デバイス１２は、望ましくない物質３６への望ましくない暴露あるいは望ましくない物質３６との接触から効果的に遮蔽される。
【００１６】
図１の例では、遮蔽物質２４は、チューブ１８の内部２８に設けられた加圧ヘリウムであり、望ましくない物質３６は、水素であり、該水素は、チューブ１８の外部３２に存在する。ヘリウム原子と水素分子の両方とも、チューブ１８を透過するほど小さい。しかしながら、光ファイバ１６の水素への暴露は、光ファイバ１６の光学特性の望ましくない劣化を引き起こすことがあり、不活性であるヘリウムへの暴露は、劣化を引き起こさない。所望ならば、システム１０は、光ファイバ１６を水素への望ましくない暴露から保護するのに十分、チューブ１８を通ってその中への水素の透過を妨げるために、ヘリウムがチューブ１８の内壁２０の全表面積を横切ってチューブ１８を透過するように設計されるのがよい。
【００１７】
本発明は、遮蔽物質２４としてヘリウムの使用に、あるいは望ましくない物質３６として水素の使用に限定されない。遮蔽物質２４は、いかなる適当な望ましい物質あるいは物質の組み合わせであってもよい。（特定用途に）有益なあるいは所望されることのある遮蔽物質２４の他の例は、窒素、ネオン、および重水素である。同様に、望ましくない物質３６は、デバイス１２から少なくとも部分的に隔離されることが望まれるどんな１つ以上の物質であってもよい。望ましくない物質３６の他の例は、酸素である。
【００１８】
今、図２の実施形態を参照すると、デバイス１２は、第２のバリア４２内に配置された第１のバリア３８内に配置される。例えば、デバイス１２は、光ファイバ４６であってもよく、バリア３８、４２はチューブ５０であってもよい。本実施形態の第１のバリア３８は、遮蔽物質２４、例えば加圧ヘリウムあるいはネオンを収容する。システム１０は、遮蔽物質２４が第１のバリア３８を透過し（例えば、矢印２６を参照せよ）、そしてバリア３８、４２の間に延びる空間５４に入るように構成される。望ましくない物質３６が第２のバリア４２の外部５６から第２のバリア４２を透過するかも知れないが（例えば、矢印６０を参照せよ）、望ましくない物質３６は、第１のバリア３８を通る遮蔽物質２４の流れあるいは圧力によって、デバイス１２に悪影響を及ぼすであろう方法で第１のバリア３８を透過するのを妨げる。第１のバリア３８の内側を通って流れる遮蔽物質２４は、バリア３８の中の望ましくない物質３６のあらゆる痕跡を置換するのにも役立つ。
【００１９】
依然として図２を参照すると、他の実施形態では、遮蔽物質２４は、第１のバリア３８を透過し、望ましくない物質３６が第２のバリア４２を通って空間５４の中へ透過するのを防止しあるいは制限するのに十分空間５４を満たすのがよい。更に他の実施形態では、遮蔽物質２４は、その代わりに、第１のバリア３８と第２のバリア４２との間の空間５４の中に供給され、第２のバリア４２を通る望ましくない物質３６の透過を防止しあるいは十分に妨げることができる。変形例では、遮蔽物質２４は、第１のバリア３８と第２のバリア４２との間の空間５４を通って流れ、空間５４の中の望ましくない物質３６のいかなる痕跡をも置換することができる。更なる実施形態は、３つ以上のバリアを有してもよい。
【００２０】
本発明は、また、デバイスが必ずしもバリア内に包囲されない実施形態を含む。その代わりに、バリアは、デバイスあるいはその周囲の周りに、あるいは一部のみに沿って延びてもよい。従って、１つ以上のバリア、層、バッフル、あるいは他の構造、空間、ポケットあるいはそれらの組み合わせのあらゆる所望の形態あるいは配置を、本発明によって用いることができる。
【００２１】
本発明は、また、デバイス自体に直接加えられた、あるいは形成された少なくとも１つのバリアを有する実施形態を含む。例えば、バリアは、デバイスに加えられた適当な物質のコーティングでもよい。コーティングバリアの例は、炭素、金属、およびポリマーである。所望ならば、多孔性のアンダーコーティングをバリアコーティングに加えて、デバイスとバリアコーティングとの間の遮蔽物質の配置を容易にしてもよい。
【００２２】
いかなる適当な部品および技術を用いて、遮蔽物質の適当な供給および／または加圧を確実にすることができる。例えば、遮蔽物質がガスを含むとき、バリアの内部と流通状態に配置された加圧ガスの１つ以上の容器、例えばボンベを用いて遮蔽物質を供給し、且つ所望の圧力を維持することができる。他の例では、遮蔽物質は、外側供給源からの配管を通して供給されてもよい。更に他の例では、遮蔽物質は、外部に配置された反応器で、あるいはバリア自体の中で、例えば化学反応によって作られてもよい。
【００２３】
本発明は、いかなる特定の用途あるいは産業に限定されない。例示的な産業用途は、石油探鉱および生産、発電、航空宇宙、防衛、輸送を含む。例示的な用途は、油井およびガス井、地熱井、観測井、パイプライン、および原子力発電システムを含む。
【００２４】
本発明による例示的方法は、少なくとも１つのデバイスと少なくとも１つのバリアとの間の遮蔽物質の供給を含む。遮蔽物質はバリアを透過し、デバイスを望ましくない物質への暴露あるいは接触によって引き起こされる望ましくない影響から保護するのに十分、バリアを通る望ましくない物質の透過を防止し、あるいは妨げる。例えば、遮蔽物質は、遮蔽物質をバリアの全面に沿ってバリアを透過させるのに十分な圧力で供給される加圧ガスであってもよい。
【００２５】
図２を参照すると、石油坑井用途に使用するための本発明による他の例示的方法は、光ファイバ４６の周りに金属管を溶接することによって第１のバリア３８を形成することを含む。次いで、第１のバリア３８および光ファイバ４６は、例えばあらかじめ設置された制御ラインのような、第２のバリア４２の中へポンプで引き込まれる。遮蔽物質２４、例えば加圧ヘリウムあるいはネオンは、外部供給源から第１のバリア３８の中へポンプで引き込まれる。
【００２６】
かくして、本発明の好ましい実施形態は、先行技術に関して利点を提供し、本発明の１つ以上の目的を十分達成するようになっている。しかしながら、本発明は、上述の構成要素および作用の各々を要求しない。いかなる１つ以上の上述の構成要素、特徴および方法は、他のそのような構成要素、特徴および方法を含むことなしに、あらゆる適当な形態で用いることができる。かくして、本発明は、上述の実施形態および実施方法に限定されない。その上、本発明の好ましい実施形態が示されて記載されてきたが、本発明のシステム、装置、および方法、例えば構成要素、構造および作動の詳細、部品の配置および／または使用方法の多くの変形、変更および／または変化が可能であり、本願特許権者によって予期され、添付した特許請求の範囲の範囲内であり、且つ本発明の教示および添付した特許請求の範囲から逸脱せずに当業者の１人によって作られ、使用されることができる。従って、付加的な特徴、性能、構成要素、機能、方法、使用、および用途を含むことができる。
【００２７】
上述した方法およびいかなる添付した特許請求の範囲の範囲内となるあらゆる他の方法は、あらゆる所望の適当な順序で行われ、ここにあるいはいかなる添付した特許請求の範囲に列挙されているように記載された順番に必ずしも限定されない。更に、本発明の方法は、本明細書に示され且つ記載された特定の構成要素あるいは実施形態の使用を要求せず、構成要素のいかなる他の適当な構造、形状および形態に等しく適用できる。かくして、説明されたあるいは添付図面に示されたここの全ての事項は、例示としておよび限定せずに解釈されねばならず、本発明の範囲および添付された特許請求の範囲は、ここに記載され且つ示された実施形態に限定されない。
【図面の簡単な説明】
【００２８】
【図１】本発明の実施形態による、デバイスおよび遮蔽物質を収容する例示的なバリアの部分断面図である。
【図２】本発明の他の実施形態による、デバイスおよび遮蔽物質を収容し且つ第２のバリアによって少なくとも部分的に囲まれた、第１のバリアの例の部分断面図である。
【図１】
2008537790.tif 000002
【図２】
2008537790.tif 000003
【国際調査報告】
2008537790.tif 000004
2008537790.tif 000005
2008537790.tif 000006
2008537790.tif 000007
2008537790.tif 000008